(57)【要約】【課題】収納性に優れ長さ方向に伸縮可能な簡易な構造のマイクロホンを提供する。【解決手段】本発明の伸縮自在マイクロホン１００は収音部１０と、一端が収音部１０に連結された伸縮可能なロッド１２と、一端が収音部１０に接続されたマイクコード１１と、ロッド１２を回動可能に支持する支持手段１３と、を具備し、収音部の位置を調整することが可能としている。また、ロッドは導電性であり、アンテナとして使用することも可能である。マイクコードはロッドに巻き付けることも、またロッドに沿って配設することも可能であり、ロッドに沿って配設される場合にはマイクコードの他端が巻き取り・巻き戻し機構に連結されていることを特徴とする。【選択図】　　図１
2004040345.tif 000002
【特許請求の範囲】
【請求項１】
収音部と、
一端が前記収音部に連結された伸縮可能なロッドと、
一端が前記収音部に接続されたマイクコードと、
前記ロッドを回動可能に支持する支持手段と、
を具備し、前記収音部の位置を調整することが可能であることを特徴とする伸縮自在マイクロホン。
【請求項２】
前記ロッドが導電性であり、アンテナとして使用可能であることを特徴とする、請求項１に記載の伸縮自在マイクロホン。
【請求項３】
前記マイクコードが前記ロッドに巻かれていることを特徴とする、請求項１又は２に記載の伸縮自在マイクロホン。
【請求項４】
前記マイクコードが前記ロッドに沿って配設され、前記マイクコードの他端が巻き取り・巻き戻し機構に連結されていることを特徴とする、請求項１又は２に記載の伸縮自在マイクロホン。
【請求項５】
前記収音部が前記ロッドから脱着可能に構成したことを特徴とする、請求項１ないし４のいずれか一つに記載の伸縮自在マイクロホン。
【発明の詳細な説明】
【０００１】
【発明の属する技術分野】
本発明は、卓上マイクとして又はスタンドに取り付けて使用するのに好適なマイクロホンに関し、より詳細には、耐性および収納性に優れ長さ方向に伸縮可能なマイクロホンに関する。
【０００２】
【従来の技術】
従来から、話者の口元と収音部（マイクロホン・ユニット）との距離を調整することが可能なマイクロホンとして、グーズネック型マイクロホン２００が知られている。図３に従来のグーズネック型マイクロホン２００の一例を示す。グーズネック型マイクロホン２００は、話者の音声を受信する収音部２０と、収音部２０に一端が連結された、屈曲可能なグーズネック２１とを備えている。話者はグーズネック２１を手で適宜に屈曲させることで、話者の声量や使用条件に応じて収音部２０と口元との距離を調整する。
【０００３】
しかしながら、グーズネック型マイクロホン２００は、グーズネック２１の内部に、収音部２０に一端が接続されたマイクコード（図示せず）を通さなければならず、構造が複雑である。また、グーズネック２１は屈曲自在であるだけで、長さ方向には伸縮しないので、不使用時に収音部２０をマイクロホンの長さ方向に移動させてグーズネック２１を折り畳んでも、グーズネック２１をコンパクトに折り畳むには限界があり、一方、グーズネック２１を折り曲げ易くするには比較的長い、したがって折り曲げたとき大きな曲率半径を持つグーズネックが必要なため、マイクロホン２００をコンパクトに収納することが難しいという問題がある。加えて、グーズネックは高価であることも問題である。
【０００４】
【発明が解決しようとする課題】
本発明は上記問題点に鑑みてなされたものであり、収納性に優れ長さ方向に伸縮させることが出来る簡易な構造のマイクロホンを提供することを目的とする。
【０００５】
【課題を解決するための手段】
上記の目的を達成するために、請求項１の発明は、
収音部と、
一端が前記収音部に連結された伸縮可能なロッドと、
一端が前記収音部に接続されたマイクコードと、
前記ロッドを回動可能に支持する支持手段と、
を具備し、前記収音部の位置を調整することが可能であることを特徴とする伸縮自在マイクロホン、
を提供する。
【０００６】
請求項２の発明は、前記ロッドを導電性とし、アンテナとして使用可能にしたことを特徴とする。
請求項３の発明は、前記マイクコードを前記ロッドに巻いたことを特徴とする。
【０００７】
請求項４の発明は、前記マイクコードを前記ロッドに沿って配設し、前記マイクコードの他端を巻き取り・巻き戻し機構に連結したことを特徴とする。
請求項５の発明は、収音部を前記ロッドから脱着可能に構成したことを特徴とする。
【０００８】
【発明の実施の形態】
以下、図面を参照しながら、本発明に係る伸縮自在マイクロホンの一つの実施の形態の構造と動作を説明する。図１は伸縮自在マイクロホンの伸長状態を、図２は同マイクロホンの縮小状態をそれぞれ示している。図１及び図２において、伸縮自在マイクロホン１００は、収音部１０と、一端が収音部１０に接続されたマイクコード１１と、一端が収音部１０に連結され且つマイクコード１１が外周に巻かれる伸縮ロッド１２と、伸縮ロッド１２の他端と連結され且つ伸縮ロッド１２を回動自在に支持する支持体１３とを含む。支持体１３は、台その他の適宜の部材にネジ込み等の適宜の手段によって固定される。マイクコード１１の他端には、増幅器等の回路を内蔵する機材に接続するためのプラグ１４が設けられる。
【０００９】
収音部１０は、従来のマイクロホンにおける収音部２０と同じものであり、話者の音声を受信する。マイクコード１１は一端が収音部１０に接続された例えばシールド線であり、その他端は他の機材等への入力端子となるプラグ１４に接続され、収音部１０で受信された話者の音声はマイクコード１１を通って他の機材へ伝送される。例えば、プラグ１４が音声識別コンピュータに接続される場合には、収音部１０で受信された音声は当該コンピュータに入力されて音声識別され、コンピュータに接続されたディスプレイ等にその結果が表示される。
【００１０】
図１及び図２に示すように、伸縮ロッド１２は、複数の（図１では３個の）異なる内径を有する棒状部分を入れ子式に接続した構造を有しており、収音部１０に近い部分ほど小さな内径を有している。このため、話者は伸縮ロッド１２の先端の収音部１０を把持して話者の口元周辺の適切な位置へ伸縮させることが出来る。マイクコード１１は伸縮ロッド１２の外側にカールコード状に巻き付けられ、伸縮ロッド１２が最長になった場合にもある程度の遊びを有し、伸縮ロッド１２が最短になった場合にも重ならないように、適宜の長さと剛性とを有している。
【００１１】
なお、伸縮ロッド１２を伸ばすと、その外周に巻き付いているマイクコード１１は伸縮ロッド１２を縮める方向にテンションを与えるので、伸縮ロッド１２としては、例えばラジオ等に使用されるロッドアンテナのように、内部摩擦構造等によりある程度保持力を持ち、マイクコード１１からのテンションに抗して任意の長さで固定出来るものを使用することが好ましい。
【００１２】
伸縮ロッド１２を縮めると、マイクコード１１は伸縮ロッド１２をガイドとして自らのテンションで縮むため、図２に示すように、マイクコード１１は垂れずに収まりよく保持される。また、前述のとおり、マイクコード１１を適宜の長さに設定しているので、断線の恐れがない。
【００１３】
支持体１３は例えばボールジョイントであり、伸縮ロッド１２を、したがって収音部１０を任意の位置に移動させることができる機構であれば、任意のものを採用することができる。
【００１４】
このように、図１及び図２に示す伸縮マイクロホン１００においては、伸縮ロッド１２を支持体１３に回動自在に取り付けたので、使用者の声量や使用条件に応じて、収音部１０と口元までの距離を調整しながら収音部１０を適切な位置に置くことが出来る。従って、ハウリングが生じた場合にも収音部１０の位置を簡単に変えることができるので、ハウリングの回避に有効に対処できる。
【００１５】
また、伸縮自在マイクロホン１００は、伸縮ロッド１２を縮めることで全体的な長さを短くすることが出来るので、コンパクトな収納が可能であり、移動して使用する機材の付属マイクとして使用するのに適している。さらに、構造が単純で構成部品も少ないので、低コストで実現することが可能であり、組み立てやメンテナンスも容易である。
【００１６】
以上、本発明に係るマイクロホンの一つの実施の形態について説明したが、本発明はこうした実施の形態に限定されるものではない。例えば、伸縮ロッドの断面形状は円形に限られるものではなく、角型や楕円形等の任意の断面形状のものを使用することができる。
【００１７】
また、伸縮ロッドを導電性の材料で作成してロッドアンテナと同じ構造とすることにより、例えば送信機や受信機などのアンテナとしてマイクロフォンの伸縮ロッドを兼用することも可能となる。
【００１８】
さらに、伸縮ロッドの基部にマイクコードの巻き取り・巻き戻し機構を設けるとともにマイクコードを伸縮ロッド内を通して又は伸縮ロッドの外面に沿って配設して巻き取り・巻き戻し機構に連結することにより、伸縮ロッドの伸縮長にあわせてマイクコードを巻き取り又は巻き戻して、伸縮ロッドを伸縮してもマイクコードが弛むことがないようにすることも可能である。
【００１９】
さらに、ロッドから収音部が脱着可能とすることも出来るので、マイクロホン固定が必要ない場合には更に自由な位置へ配置することが出来る。これにより、収音部を固定したいときにはロッドに装着、自由な位置で使用したい場合には取り外して使用することが出来るようになる。
【００２０】
【発明の効果】
以上、本発明に係る伸縮自在マイクロホンの一つの実施の形態を詳述したところから理解されるように、請求項１の発明は、一端に収音部が連結されたロッドを伸縮させることが出来るので、収音部と口元までの距離の調整が容易であり、使用者の声量や使用条件に応じて収音部を最適な位置に調整することが出来るので、ハウリングを有効に回避することができ、また、構造が簡単で組み立てやコードの交換等が容易で、メンテナンス性に優れているという効果を奏する。
【００２１】
請求項２の発明は、送信機又は受信機に設けられているロッドアンテナを伸縮ロッドとして使用することが可能であり、既設のロッドアンテナの部材を伸縮ロッドの支持手段として流用することができるので、限られたスペースを有効に利用することができるばかりでなく、コストを削減することができるという効果を奏する。特に、ワイヤレスマイクロホン装置への適用に好適である。
【００２２】
請求項３の発明は、ロッドを縮小したときにマイクコードは自らのテンションで縮むため、マイクコードに負担がかからず、断線の心配がないばかりでなく、ロッドの縮小時にロッドがマイクコードのガイドとなるため、コードが垂れ下がることがないという効果を奏する。また安価な市販のカールコードが利用出来るため、コストを削減することが出来る。
【００２３】
請求項４の発明は、ロッドを伸縮させたときにもマイクコードが弛むことがないという効果を奏する。
請求項５の発明は、ロッドから収音部が脱着可能であるので、マイクロホン固定が必要ない場合には更に自由な位置へ配置することが出来るという効果を奏する。
【図面の簡単な説明】
【図１】本発明に係るマイクロホンの一つの実施の形態を概略的に示す図で、伸縮ロッドを伸ばした状態を示す。
【図２】本発明に係るマイクロホンの一つの実施の形態を概略的に示す図で、伸縮ロッドを縮めた状態を示す。
【図３】従来技術のグーズネック型マイクロホンを示す図である。
【符号の説明】
１０　　収音部
１１　　マイクコード
１２　　収縮ロッド
１３　　支持体
１４　　プラグ
１００　　伸縮自在マイクロホン
２００　　グーズネック型マイクロホン
【図１】
2004040345.tif 000003
【図２】
2004040345.tif 000004
【図３】
2004040345.tif 000005